(57)【要約】【課題】  ヘッドセットを用いて音楽鑑賞をしている間でも、第三者から呼びかけられたり、または電話や玄関のインタホンなどが鳴った場合に、確実にその応答ができるようにする。【解決手段】  音楽再生を行う外部機器（パーソナルコンピュータ２）から入力される音楽データをスピーカユニット１０１、１０２に出力して音楽鑑賞を可能とするヘッドセット１にて、マイクロホン１０５から入力される外部からの音を音声認識部１１６にて認識し、この認識した結果、特定のキーワード、特定の人の声紋または一定レベル以上の音が一定時間以上検出した場合に、ヘッドセット１ではスピーカユニット１０１、１０２へのへの音楽データの出力を停止する処理（ミュート処理）を実行する。【選択図】  図３
2005192004.tif 000002
【特許請求の範囲】
【請求項１】
スピーカユニットと、
外部機器から入力される音楽データを再生し、前記スピーカユニットに出力する出力手段と、
外部からの音を検出する検出手段と、
前記出力手段にて音楽データを前記スピーカユニットに出力している際に、前記検出手段で外部からの音を検出した場合には、この検出した音を認識した上で、この認識結果に基づき所定の条件を満たしている場合には、前記出力手段から前記スピーカユニットへの音楽データの出力を停止する処理を実行する制御手段と
を具備したことを特徴とするヘッドセット。
【請求項２】
特定のキーワード情報を記憶するメモリを更に具備し、
前記制御手段は、前記検出手段で外部から検出した音の内容と前記メモリに記憶されているキーワード情報の内容とを比較し、外部から検出した音の内容と前記メモリに記憶されているキーワード情報の内容とが同一であると認識した場合、前記出力手段から前記スピーカユニットへの音楽データの出力を停止する処理を実行することを特徴とする請求項１記載のヘッドセット。
【請求項３】
特定の人の声紋を記憶するメモリを更に具備し、
前記制御手段は、前記検出手段で検出した音の声紋と前記メモリに記憶されている声紋とを比較し、外部から検出した音の声紋と前記メモリに記憶されている声紋とが同じであると認識した場合、前記出力手段から前記スピーカユニットへの音楽データの出力を停止する処理を実行することを特徴とする請求項１記載のヘッドセット。
【請求項４】
音の所定の基準レベルを記憶するメモリを更に具備し、
前記制御手段は、前記検出手段で検出した音のレベルと前記メモリに記憶されている基準レベルとを比較し、検出した音のレベルが基準レベル以上であると認識した場合で、かつ、この検出したレベルの音が所定時間以上継続して検出された場合に、前記出力手段から前記スピーカユニットへの音楽データの出力を停止する処理を実行することを特徴とする請求項１記載のヘッドセット。
【請求項５】
前記制御手段は、前記出力手段から前記スピーカユニットへの音楽データの出力を停止している処理を実行している間、前記検出手段で検出した外部からの音を前記スピーカユニットに出力することを特徴とする請求項１記載のヘッドセット。
【請求項６】
前記制御手段は、前記出力手段から前記スピーカユニットへの音楽データの出力を停止している処理を実行している間、前記外部機器に対して音楽再生処理の停止を指示するコマンドを送信することを特徴とする請求項１記載のヘッドセット。
【請求項７】
外部機器から入力される音楽データをスピーカユニットに出力し、
この音楽データをスピーカユニットに出力している際に、外部からの音を検出した場合には、この検出した音を認識した上で、この認識結果に基づき所定の条件を満たしている場合には、前記スピーカユニットへの音楽データの出力を停止することを特徴とするヘッドセットの音楽データの再生制御方法。
【発明の詳細な説明】
【技術分野】
【０００１】
本発明は、音楽再生装置等から送信される音楽データを再生するヘッドセットにて、外部からの音等に反応して音楽信号の再生を制御するヘッドセット並びに音楽信号の再生制御方法に関する。
【背景技術】
【０００２】
近年、無線通信技術としてBluetooth（Ｒ）が注目されている。このBluetooth（Ｒ）は、低価格、低消費電力で、モバイル機器に適した近距離の無線通信技術であり、個々のユーザが所有するモバイル機器等を無線接続するのに用いられる。モバイル機器間は無線接続されるので、従来の有線接続される場合と比較して、自由にかつ簡単に機器間の接続が可能となる。
【０００３】
さらに、このBluetooth（Ｒ）は、色々な分野への適用が検討されており、音楽再生装置等のＡＶ機器への応用も始まっている。
【０００４】
このＡＶ機器への応用の一つとして考えられているのが、ワイヤレスヘッドセットへの音声データへの無線データ伝送である。この場合、ワイヤレスヘッドセットを携帯型音楽プレーヤ等の音楽再生装置と接続することにより、従来の接続ケーブルが不要となり、より快適なオーディオ再生環境が期待されている（例えば、特許文献１）。
【特許文献１】特開２００２−１１２３８３号公報
【発明の開示】
【発明が解決しようとする課題】
【０００５】
このような無線機器は、主にBluetooth（Ｒ）等の短距離無線通信装置となる音楽再生装置から送信される圧縮された音楽データを受信し、この受信した音楽データを復号化して再生を行うことで音楽鑑賞を可能とする。また、ヘッドセットに設けられている操作ボタンを操作することで、音楽再生、一時停止、早送り、巻き戻し等の再生制御を行うコマンドを無線で音楽再生装置に送信することで、この音楽再生装置の制御を可能とする。
【０００６】
しかしながら、従来のヘッドセットでは、ユーザがこのヘッドセットを付けて音楽鑑賞を行っている間に、誰か外部の人に呼びかけられた場合でも、それに気付かないことが多い。また、自宅でヘッドセットを用いて音楽鑑賞をしている際に、ヘッドセットで鑑賞している音楽の音量を比較的高くしているような場合には、電話や玄関のインタホンなどが鳴っても、それに気付かず、応答が取れない場合もあり、ユーザに不便を強いることもあった。
【０００７】
そこで、本発明では、ユーザがヘッドセットを用いて音楽鑑賞をしている間でも、第三者から呼びかけられたり、または電話や玄関のインタホンなどが鳴った場合には、確実にその応答ができるようにするヘッドセット並びにヘッドセットの音楽データの再生制御方法を提供することを目的とする。
【課題を解決するための手段】
【０００８】
上記目的を達成するために、本発明のヘッドセットでは、スピーカユニットと、外部機器から入力される音楽データを再生し、前記スピーカユニットに出力する出力手段と、外部からの音を検出する検出手段と、前記出力手段にて音楽データを前記スピーカユニットに出力している際に、前記検出手段で外部からの音を検出した場合には、この検出した音
を認識した上で、この認識結果に基づき所定の条件を満たしている場合には、前記出力手段から前記スピーカユニットへの音楽データの出力を停止する処理を実行する制御手段とを具備したことを特徴とするものである。
【０００９】
また、本発明のヘッドセットの音楽データの再生制御方法では、外部機器から入力される音楽データをスピーカユニットに出力し、この音楽データをスピーカユニットに出力している際に、外部からの音を検出した場合には、この検出した音を認識した上で、この認識結果に基づき所定の条件を満たしている場合には、前記スピーカユニットへの音楽データの出力を停止することを特徴とするものである。
【発明の効果】
【００１０】
本発明のヘッドセットにおいては、ユーザがヘッドセットを用いて音楽鑑賞等をしている間でも、特定の内容、声紋またはレベルの音を検出した場合には、それに応じて音楽再生のミュート処理を実行する。そのため、音楽鑑賞中であっても、外部からの必要な呼びかけなどに対して確実に応答することが可能となる。
【発明を実施するための最良の形態】
【００１１】
以下、図面を参照して本発明の実施の形態を説明する。
【００１２】
図１は、本発明の一実施の形態であるヘッドセット１を用いた無線通信システムを示す構成図である。図１に示す構成図では、ヘッドセット１は、パーソナルコンピュータ２が接続先となっている。
【００１３】
ヘッドセット１は、例えばBluetooth（Ｒ）規格に準拠した無線通信を実行し、このBluetooth（Ｒ）規格に準拠した無線通信機能を有する電子機器との間でデータ通信等を行うことができる。パーソナルコンピュータ２にBluetooth（Ｒ）で無線通信を行う通信部を備え、ヘッドセット１とパーソナルコンピュータ２との間で無線接続を行ない、データの送受信を実行する。
【００１４】
また、ヘッドセット１は、Advanced Audio Distribution Profile（Ａ２ＤＰ）のＳｉｎｋ機能並びにAudio Video Remote Control Profile（ＡＶＲＣＰ）のＣＴ機能とを備えている。
【００１５】
Ａ２ＤＰのＳｉｎｋ機能は、音楽等のオーディオデータのストリーミング再生における転送先デバイスとしての機能であり、無線信号によって送られてくるオーディオデータのストリームを受信しながら再生するために用いられる。また、ＡＶＲのＣＴ機能は、リモート制御における制御側デバイスとしての機能であり、無線信号によって被制御側デバイスに対してリモート制御信号を送信するために用いられる。
【００１６】
一方、パーソナルコンピュータ２は、Ａ２ＤＰのＳｏｕｒｃｅ機能及びＡＶＲＣＰのＴＧ機能とを備えている。Ａ２ＤＰのＳｏｕｒｃｅ機能は、ストリーミング再生における転送先デバイスの機能であり、オーディオデータのストリームを無線信号によって送信するために用いられる。例えば、パーソナルコンピュータ２は、音楽再生機能を持つアプリケーションプログラムがインストールされており、ヘッドセット１との間に確立されたＡ２ＤＰのための無線接続（リンク）を通じて音楽データのストリーミング送信を実行する。
【００１７】
ＡＶＲＣＰのＴＧ機能は、リモート制御における被制御側デバイスとしての機能であり、無線信号によって被制御側デバイスから送られてくるリモート制御信号に基づいて、例えばストリーミング再生の開始および停止を行う。
【００１８】
上記のような機能を有するヘッドセット１とパーソナルコンピュータ２との間の無線通信を具体的に説明すると、各々の機器に搭載されたアンテナ１０７、１０８を介して無線接続を行い、データの送受信を行う。
【００１９】
ここでは、Bluetooth（Ｒ）のＡＶプロファイルに従って、Ａ２ＤＰのＳｏｕｒｃｅ機能を有するパーソナルコンピュータ２からトランスポートチャネルを用いて、ストリーミングにより送信される音声データをＡ２ＤＰのＳｉｎｋ機能を有するヘッドセット１にて受信することで、ヘッドセット１にて音楽鑑賞が可能となる。
【００２０】
また、ＡＶＲＣＰのＣＴ機能を有するヘッドセット１からはリモート制御信号が送信され、このリモート制御信号をＡＶＲＣＰのＴＧ機能を有するパーソナルコンピュータ２にて受信することで、ヘッドセット１からの遠隔操作によって、パーソナルコンピュータ２にて動作中の音楽再生アプリケーションに対して、再生開始、停止、一時停止、早送り、巻き戻しといった操作を可能とする。
【００２１】
次に、図２を用いて、本発明の一実施形態であるヘッドセット１の構成につき説明する。
【００２２】
ヘッドセット１は、パーソナルコンピュータ２などと外部機器から無線信号によって送信されるオーディオデータを出力するものであり、スピーカユニット１０１、１０２、ヘッドバンド１０３並びにマイクロホン１０５とを備えている。
【００２３】
スピーカユニット１０１、１０２は、例えば、パーソナルコンピュータ２から送信されてくるオーディオデータを出力するためものであり、ヘッドバンド１０３の両端に設けられている。ヘッドセット１がユーザの頭部に装着された状態において、スピーカユニット１０１、１０２が各々右耳、左耳を覆うように取付けられる。
【００２４】
ヘッドバンド１０３は、このヘッドセット１を使用するユーザの頭部に装着する際に使用する。
【００２５】
また、マイクロホン１０５は、外部からの音声を入力するための無指向性の入力機器であり、スピーカユニット１０２から延在して設けられている。
【００２６】
さらに、ヘッドセット１には、ユーザにて音楽再生などの指示操作を入力するための操作スイッチ１０６、並びにヘッドバンド１０３に取付けられ、外部機器であるパーソナルコンピュータ２との無線通信を行うためのアンテナ１０７とが設けられている。
【００２７】
次に、図３を用いて、ヘッドセット１のシステム構成について説明する。
【００２８】
図３に示す通り、このヘッドセット１は、スピーカユニット１０１、１０２、マイクロホン１０５、操作スイッチ１０６及びアンテナ１０７の他に、システム制御部１１１、メモリ１１２、無線通信デバイス１１３、音声入力部１１４およびオーディオ出力部１１５とを備えている。
【００２９】
システム制御部１１１はヘッドセット１の動作を制御するためのプロセッサであり、メモリ１１２に格納されたプログラムを実行することにより、無線通信デバイス１１３、音声入力部１１４およびオーディオ出力部１１５をそれぞれ制御する。また、システム制御部１１１には、前述した音声認識処理および音声入力レベルを取得する処理を実行する音声認識部１１６が設けられている。
【００３０】
メモリ１１２は、不揮発性のメモリデバイスから構成されており、ヘッドセット１の動作を制御するプログラムが格納されている。このプログラムには、Ａ２ＤＰのＳｉｎｋ機能をシステム制御部１１１に実行させるルーチン、ＡＶＲＣＰのＣＴ機能をシステム制御部１１１に実行させるルーチンなどが含まれている。
【００３１】
無線通信デバイス１１３は、パーソナルコンピュータ２との間の無線通信をBluetooth（Ｒ）の規格に準拠した手順で実行するデバイスであり、ベースバンド処理部およびＲＦ部とを備えている。この無線通信デバイス１１３は、パーソナルコンピュータ２から無線信号によって送信される音楽等のオーディオデータを受信したり、リモート制御信号を無線信号によってパーソナルコンピュータ２に送信するために用いられる。
【００３２】
音声入力部１１４は、マイクロフォン１０５を介して入力されるユーザの音声をアナログ信号からディジタル信号に変換して、システム制御部１１１に送信する。また、オーディオ出力部１１５は、パーソナルコンピュータ２から送信される音楽等のオーディオデータのストリームを無線通信デバイス１１３およびシステム制御部１１１を介して受信し、この受信したストリームをスピーカユニット１０１，１０２から音として出力可能な電気信号に変換するデータ再生処理を実行する。この音声入力部１１４の入力ゲインとオーディオ出力部１１５の出力ゲインとは、システム制御部１１１によって調整可能なものとなっている。
【００３３】
このような構成を有するヘッドセット１では、パーソナルコンピュータ２との間で無線接続が確立されると、システム制御部１１１の制御に基づき、無線通信デバイス１１３のＡ２ＤＰコネクションを通じて、パーソナルコンピュータ２からストリーミング送信される音楽データをアンテナ１０７を介して無線通信デバイス１１３で受信し、これをオーディオ出力部１１５よりスピーカユニット１０１、１０２に出力する。
【００３４】
また、ＡＶＲＣＰコネクションを通じて、マイクロホン１０５、音声入力部１１４を介して入力されるユーザの操作指示がシステム制御部１１１の音声認識部１１６にて認識処理を実行し、この認識結果をリモート信号として、無線通信デバイス１１３およびアンテナ１０７を介してパーソナルコンピュータ２に送信する。
【００３５】
上記のように構成された本発明の一実施形態におけるヘッドセット１においては、ユーザがこのヘッドセット１を用いて音楽鑑賞等をしている間でも、外部からの呼びかけや、電話や玄関のインタホンなどが鳴った場合でも、その呼びかけの声、または電話やインタホンの音を容易に確認することが可能である。すなわち、本発明の一実施形態であるヘッドセット１は、外部からの発音語や声紋、またはあるベル以上の音量を認識した際に、実行中である音楽再生処理をミュートする機能を有している。
【００３６】
次に、本発明のヘッドセットにおける音楽再生の制御方法につき、図４乃至図７に示すフローチャートを用いて説明する。
（特定のキーワード情報を認識して音楽再生をミュートする処理）
本発明の一実施形態におけるヘッドセット１においては、ヘッドセット１のメモリ１１２に特定のキーワード情報を記憶しておき、このキーワード情報と同じ内容が外部から発せられた場合に、実行中の音楽再生をミュートする処理を実行する。
【００３７】
図４は、この実施形態である外部から入ってくる特定のキーワード情報を認識した場合に、音楽再生をミュートする処理方法を説明するためのフローチャートである。
【００３８】
この処理方法では、まず、ヘッドセット１で音楽再生処理が実行されている場合に（Ｓ２０）、このヘッドセット１を使用して音楽を聴いているユーザに対して、外部から第三
者がユーザに向けて何か声を掛けたとする。この場合、ヘッドセット１は、この第三者がユーザに呼掛けた音声がマイクロフォン１０５から入力される（Ｓ２１）。この入力された第三者の音声は、音声入力部１１４を介して音声認識部１１６に渡されて音声認識処理が実行される（Ｓ２２）。
【００３９】
ここで、音声認識部１１６での音声認識処理の結果、このヘッドセット１のメモリ１１２に予め音楽再生をミュートするためのキーワードとなるキーワード情報の内容と照合処理を行い（Ｓ２３）、メモリ１１２に記憶されているキーワード情報と音声認識部１１６で認識した音声の内容が一致した場合に、この認識結果をシステム制御部１１１に渡し、システム制御部１１１にてオーディオ出力部１１５による音楽再生処理を一旦停止させる（Ｓ２４）。
【００４０】
また、音声認識部１１６での照合処理の結果、メモリ１１２に記憶されているキーワード情報と音声認識部１１６で認識した第三者の音声の内容とが不一致の場合には、システム制御部１１１は、オーディオ出力部１１５による音楽再生処理を継続する。
【００４１】
音楽再生のミュート処理が実行される場合の具体例を説明すると、例えば、ヘッドセット１のメモリ１１２に音楽再生をミュートするためのキーワードとして「こんにちは○○さん」という情報を設定記憶されておく。そこで、外部から第三者から「こんにちは○○さん」という呼びかけが行われた場合に、ヘッドセット１では、音声認識部１１６での認識の結果、メモリ１１２に記憶されている内容と同じキーワードの内容が第三者から発せられたと認識した場合には、音楽再生の処理を自動的に一旦ミュートする。そのため、ヘッドセット１を使用して音楽を聴いているユーザにとって、第三者から「こんにちは○○さん」との呼びかけ対して応じることが容易となる。
【００４２】
また、このヘッドセット１では、音楽再生がミュート状態になっている状態で第三者との会話が終了し、再び音楽再生を実行したい場合には、操作スイッチ１０６にて音楽再生の指示を入力する。この指示で、システム制御部１１１はオーディオ出力部１１５での音声出力を再開し、音楽再生処理が再び実行される。
【００４３】
尚、メモリ１１２に記憶させるキーワード情報は、「こんにちは○○さん」というもの一つに限定する必要は無く、複数のキーワード情報を登録しておいても構わない。この場合には、第三者からの複数の呼びかけ内容に対して対応可能となる。
【００４４】
上記に説明したような処理が実行されることにより、このヘッドセット１では、例えば、ヘッドセット１を用いてユーザが音楽を聴いているときに、第三者から特定の内容の呼びかけ（例えば、「こんにちは○○さん」）がなされた場合に、自動的に音楽再生がミュートされるため、第３者からの呼びかけ容易に確認することが可能なる。
【００４５】
（特定の相手を認識して音楽再生をミュート）
次に、本発明の第２の実施形態として、特定の相手から発せられる声に基づき音楽再生処理をミュートする処理につき説明する。この実施形態では、ヘッドセット１に予め特定の声紋を登録しておき、特定の相手から発せられた声の声紋を分析して、登録されている声紋と一致した場合に、ヘッドセット１にて音楽再生をミュートする処理を実行する。
【００４６】
図５は、この実施形態である特定の相手から発せられる声の声紋を分析して、この声紋の分析結果に基づき音楽再生をミュートする処理方法を説明するためのフローチャートである。
【００４７】
この処理方法では、まず、ヘッドセット１にて音楽再生処理が実行されている場合（Ｓ
３０）に、このヘッドセット１を使用して音楽を聴いているユーザに対して、外部から第三者がユーザに向けて何か声を掛けたとする。この場合、ヘッドセット１には、この第三者がユーザに呼掛けた音声がマイクロフォン１０５から入力される（Ｓ３１）。この入力された第三者の音声は、音声入力部１１４を介して音声認識部１１６に渡されて音声認識処理が実行される（Ｓ３２）。
【００４８】
次に、音声認識処理の結果、予め音楽再生をミュートするための声紋と照合処理を行う（Ｓ３３）。この音声認識処理の結果、メモリ１１２に記憶されている特定の声紋と外部から入力された声の声紋とが一致した場合には、この認識結果をシステム制御部１１１に渡し、システム制御部１１１にて、オーディオ出力部１１５による音楽再生処理を一旦停止させる（Ｓ３４）。
上記の処理を実行することにより、本発明のヘッドセット１では、例えばある特定の人の声紋データを予めヘッドセット１のメモリ１１２に登録しておいて、その特定の人からの呼びかけがあった場合に、自動的に音楽再生がミュートされる。そのため、ヘッドセット１のユーザは、音楽を聴いている間でも、特定の人からの呼びかけに対して反応ができる。
【００４９】
また、このヘッドセット１では、第１の実施形態と同様に、音楽再生がミュートとなっている状態で特定の人との会話が終了し、再び音楽再生を継続したい場合には、操作スイッチ１０６にて音楽再生の指示を入力することで（Ｓ３５）、システム制御部１１１の制御に基づきオーディオ出力部１１５での音楽再生処理を再開させることができる。
尚、ヘッドセット１のメモリ１１２に登録可能な声紋データは、特に１つと限定する必要は無く、複数の声紋データを同時に登録可能であり、複数の相手方の呼びかけに対して音楽再生のミュート処理の実行を可能とする。
【００５０】
（基準レベル以上の音声入力を基準時間以上認識して音楽再生をミュート）
さらに、本発明の第３の実施形態として、本発明のヘッドセット１において、基準レベル以上の音声を基準時間以上認識した場合に音楽再生処理をミュートする処理が可能である。
【００５１】
図６は、この処理方法を説明するためのフローチャートであり、この図を用いて具体的な処理方法を説明する。
【００５２】
図６に示す処理方法では、例えば、ユーザが本発明のヘッドセットを用いて、家庭内で音楽を聴いている状態（音楽再生処理実行中）（Ｓ４０）のときにに、電話が鳴ったり、インタホンが鳴らされたとする。この場合、ヘッドセット１には、マイクロフォン１０５から電話やインタホンの音声が入力され（Ｓ４１）、この入力された音声を音声入力部１４を介して音声認識部１１６に渡され、音声入力レベル取得処理が実行される。
【００５３】
このヘッドセット１では、無音レベル時の音声レベルを予めメモリ１１２に登録しておき、このメモリ１１２に登録された音声レベルを基準レベル（音楽再生をミュートするための基準レベル）として、音声認識部１１６に入力された音声レベルとの比較を行う（Ｓ４２）。この比較の結果、音声認識部１１６で予め音楽再生をミュートするための基準レベル以上の音声入力レベルがあると判断した場合には、さらに、この音声認識部１１６にて、入力された音声レベルが基準時間（例えば５秒）以上継続して基準レベル以上入力されているか否かを判別する（Ｓ４３）。
【００５４】
この結果、基準となる入力レベルよりも高い音声入力が基準時間以上継続して入力されたと判別された場合には、システム制御部１１１はオーディオ出力部１１５のオーディオ出力を停止し、音楽再生のミュート処理を実行する（Ｓ４５）。但し、基準時間以上継続
して音声入力レベルの検出がなされなかった場合、又は基準以上の音声入力レベルの検出がなされなかった場合には、音楽再生処理を継続して実行される。
【００５５】
この実施の形態の場合でも、ヘッドセット１では、音楽再生がミュートとなっている状態で、電話やインタホンでの呼びかけに対応した後、再び音楽再生を継続したい場合には、操作スイッチ１０６にて音楽再生の指示を入力することで（Ｓ４６）、システム制御部１１１は、オーディオ出力部１１５を制御して音楽再生処理を再開させることができる。
【００５６】
以上の処理を行うことで、例えば、ユーザが静かな部屋の中でヘッドセット１を装着して音楽鑑賞をしている際、部屋の中にある電話が鳴ったり、玄関のチャイムが鳴ったりして、基準レベル以上の音声入力がある基準時間以上継続して検出した場合に、自動的に音楽再生のミュート処理が実行されるため、ヘッドセット１を付けているときに、電話や玄関のインタホンが鳴った場合でも、その音を確実に確認することができるものである。
尚、本実施の形態では、音声入力の基準レベルや基準時間は、任意に設定変更が可能である。
【００５７】
また、上記に説明した実施の形態１乃至３の処理方法においては、ユーザの耳にスピーカユニット１０１、１０２が装着されている場合には、音楽再生がミュートされている場合でも、外部の音が聞き取りにくい状態である。
【００５８】
そこで、本発明のヘッドセット１では、音楽再生がミュートされている間は、マイクロフォン１０５から入力される音声を音声入力部１１４を通してシステム制御部１１１で取り込み、その音声をオーディオ出力部１１５に渡してスピーカユニット１０１，１０２に出力する機能を備えても良い。この場合、ユーザは、この機能を選択することで、音楽再生がミュートされている間は、スピーカユニット１０１，１０２によって外部の音をさらに聞き取り易くすることが可能となる。
【００５９】
（リモート制御コマンドを用いた音楽再生のミュート処理）
また、本発明のヘッドセット１においては、リモート制御コマンドを用いて、音楽再生を行う外部機器（パーソナルコンピュータ２）に対して、音楽再生のミュート処理の指示を送信することも可能である。
【００６０】
図７は、第４の実施形態として本発明のヘッドセット１にて行うリモート制御コマンドを用いて、パーソナルコンピュータ２に対して音楽再生のミュート処理を指示、実行させるための処理を説明するためのフローチャートである。
【００６１】
この図に示す通り、ヘッドセット１は、音楽再生を一時停止するためのイベントの監視処理を実行している（Ｓ７０）。ここでのイベントの監視処理とは、上述した実施の形態にて説明した通り、例えば、音声認識処理によるキーワードを特定する処理、音声認識処理による声紋を特定する処理、または基準レベル以上の入力レベルを特定する処理のいずれかを実行することである。
【００６２】
この監視処理によって、ヘッドセット１にて音楽再生を一時停止するイベントが発生しているか否かを判断し（Ｓ７１）、一時停止するイベントが発生している場合には、ヘッドセット１は、ＡＶＲＣＰのＰＡＵＳＥコマンドをパーソナルコンピュータ２のＡＶＲＣＰ−ＴＧに対して送信する。
【００６３】
この処理が実行されることにより、パーソナルコンピュータ２では、ＡＶＲＣＰ−ＴＧにＰＡＵＳＥコマンドを受け取り、当該パーソナルコンピュータ２で実行中の音楽再生処理を一時停止する処理を行う。この処理により、ヘッドセット１にて音楽再生のミュート
処理を実行している間は、音楽送信元に対して音楽再生の一時停止を指示することが可能となる。
【００６４】
また、このヘッドセット１では、音楽再生をミュートした後、再び音楽再生を実行したい場合には、操作ボタン１０６にて再生指示の入力を行うことで、パーソナルコンピュータ２に対して音楽再生指示を送信し（システム制御部１１１の制御により、ＡＶＲＣＰのＰＬＡＹコマンドをパーソナルコンピュータ２のＡＶＲＣＰ−ＴＧに対して送信）、一時停止していた箇所から継続して音楽再生を再び開始させることができる。
【００６５】
この処理により、ヘッドセット１にて音楽再生のミュート処理を実行中に、パーソナルコンピュータ２での音楽再生処理が継続してなされることを防ぎ、ヘッドセット１のユーザは、ミュート処理がなされた場合でも、その後、引き続き、ミュート処理が開始された時点のところから音楽を鑑賞することを可能とする。
【００６６】
尚、本発明は上述した実施の形態に限定されるものではなく、その要旨を逸脱しない範囲で種々変形実施可能である。
【００６７】
例えば、第１の実施の形態、第２の実施の形態並びに第３の実施の形態で説明した処理では、各々異なるトリガによって音楽再生をミュートしていたが、これらを全て組合せて全ての機能を本発明のヘッドセット１の中に搭載させることも可能である。
【００６８】
また、上記の第１の実施の形態、第２の実施の形態並びに第３の実施の形態では、ヘッドセット１内部で音楽再生をミュートする処理を実行したが、ヘッドセット１内部で音楽再生のミュート処理を実行せずに、第４の実施の形態で説明した通り、ヘッドセット１のＡＶＲＣＰのＰＡＵＳＥコマンドをパーソナルコンピュータ側に送信することによって、パーソナルコンピュータ２側での音楽再生を一時停止させる処理を実行しても同様の効果が得られるものである。
【図面の簡単な説明】
【００６９】
【図１】本発明の実施の形態に係わるヘッドセットを用いた無線通信システムの構成図である。
【図２】図１に示される本発明の実施の形態のヘッドセットの構成を示す図である。
【図３】図１に示されるヘッドセットの回路構成を示すブロック図である。
【図４】図１に示されるヘッドセットの音楽再生のミュート処理の一実施形態の処理内容を示すフローチャートである。
【図５】図１に示されるヘッドセットの音楽再生のミュート処理の第２の実施形態の処理内容を示すフローチャートである。
【図６】図１に示されるヘッドセットの音楽再生のミュート処理の第３の実施形態の処理内容を示すフローチャートである。
【図７】図１に示されるヘッドセットの音楽再生のミュート処理の第４の実施形態の処理内容を示すフローチャートである。
【符号の説明】
【００７０】
１  …  ヘッドセット
２  …  パーソナルコンピュータ
１０１、１０２  …  スピーカユニット
１０３  …  ヘッドバンド
１０５  …  マイクロホン
１０６  …  操作スイッチ
１０７  …  アンテナ
１１１  …  システム制御部
１１２  …  メモリ
１１３  …  無線通信デバイス
１１４  …  音声入力部
１１５  …  オーディオ出力部
１１６  …  音声認識部
【図１】
2005192004.tif 000003
【図２】
2005192004.tif 000004
【図３】
2005192004.tif 000005
【図４】
2005192004.tif 000006
【図５】
2005192004.tif 000007
【図６】
2005192004.tif 000008
【図７】
2005192004.tif 000009